(57)【要約】【課題】  この発明はサラウンド効果の適性を向上させることを目的としている。【解決手段】  検出された所望位置の音場特性を記憶する手段（22）と、音波出力装置(11a, 11b)近傍に設けられ、予め設定された測定範囲に存在する対象物との距離を測定する手段（10a, 10b）と、動作指示検出手段で検出された音響機器に対する動作指示に応じ、音波出力装置と対象物との距離を測定し、記憶媒体に記憶された音場特性データの値を修正する手段（23）を備え、修正された音場特性データの値を用いて、修正された音場特性に応じた音波を出力するように構成している。【選択図】    図１
2007060310.tif 000002
【特許請求の範囲】
【請求項１】
音場に関する値が設定され、この設定値に基づいて音波を音響出力する音響機器において、
音波を出力する音波出力装置と、
前記音波出力装置から出力された音波を所望位置で受信し、所望位置の音場特性を検出する音場特性検出手段と、
前記検出された所望位置の音場特性を第１の音場特性データとして記憶媒体へ記憶する第１の音場特性データ記憶手段と、
前記音波出力装置近傍に設けられ、予め設定された測定範囲に存在する対象物との距離を測定する距離測定手段と、
音響機器に対する動作指示を検出する動作指示検出手段と、
動作指示検出手段で検出された音響機器に対する動作指示に応じ、前記距離測定手段を用いて前記音波出力装置近傍と前記対象物との距離を測定し、この測定値を第２の音場特性データとして出力する第２の音場特性データ出力手段と、
前記出力された第２の音場特性データを用いて前記記憶媒体に記憶された第１の音場特性データの値を修正する音場特性データ修正手段を備え、前記修正された音場特性データの値を用いて、前記音波出力装置から前記修正された音場特性に応じた音波を出力することを特徴とする音響機器。
【請求項２】
音場に関する値が設定され、この設定値に基づいて音波を音響出力する音響機器において、
音波を出力する複数の音波出力装置と、
前記複数の音波出力装置から出力された音波を所望位置で受信し、所望位置の音場特性を検出する音場特性検出手段と、
前記検出された所望位置の音場特性を第１の音場特性データとして記憶媒体へ記憶する第１の音場特性データ記憶手段と、
前記複数の音波出力装置近傍にそれぞれ設けられ、予め設定された測定範囲に存在する対象物との距離を測定する距離測定手段と、
音響機器に対する動作指示を検出する動作指示検出手段と、
動作指示検出手段で検出された音響機器に対する動作指示に応じ、前記距離測定手段を用いて前記複数の音波出力装置近傍と前記対象物との距離をそれぞれ測定し、この測定値を第２の音場特性データとして出力する第２の音場特性データ出力手段と、
前記出力された第２の音場特性データを用いて前記記憶媒体に記憶された第１の音場特性データの値を修正する音場特性データ修正手段を備え、前記修正された音場特性データの値を用いて、前記複数の音波出力装置から前記修正された音場特性に応じた音波をそれぞれ出力することを特徴とする音響機器。
【請求項３】
前記距離測定手段は前記音波出力装置と一体に設けられることを特徴とする請求項１乃至２に記載の音響機器。
【請求項４】
前記距離測定手段は赤外線を用いることを特徴とする請求項１乃至３に記載の音響機器。
【請求項５】
音波出力装置から音波を出力するステップと、
前記出力された音波を所望位置で受信し、所望位置の音場特性を検出するステップと、
前記検出された所望位置の音場特性を第１の音場特性データとして記憶するステップと、
前記音波出力装置近傍に設けられ、予め設定された測定範囲に存在する対象物との距離を測定するステップと、
音響機器に対する動作指示を検出するステップと、
前記検出された音響機器に対する動作指示に応じ、前記音波出力装置近傍と前記対象物との距離を測定し、この測定値を第２の音場特性データとして出力するステップと、
前記出力された第２の音場特性データを用いて前記記憶された第１の音場特性データの値を修正するステップと、
前記修正された音場特性データの値を用いて、前記音波出力装置から前記修正された音場特性に応じた音波を出力するステップを備えることを特徴とする音響出力方法。
【請求項６】
複数の音波出力装置から音波を出力するステップと、
前記出力された音波を所望位置で受信し、所望位置の音場特性を検出するステップと、
前記検出された所望位置の音場特性を第１の音場特性データとして記憶するステップと、
前記複数の音波出力装置近傍にそれぞれ設けられ、予め設定された測定範囲に存在する対象物との距離をそれぞれ測定するステップと、
音響機器に対する動作指示を検出するステップと、
前記検出された音響機器に対する動作指示に応じ、前記複数の音波出力装置近傍と前記対象物との距離をそれぞれ測定し、この測定値を第２の音場特性データとして出力するステップと、
前記出力された第２の音場特性データを用いて前記記憶された第１の音場特性データの値を修正するステップと、
前記修正された音場特性データの値を用いて、前記複数の音波出力装置から前記修正された音場特性に応じた音波を出力するステップを備えることを特徴とする音響出力方法。
【発明の詳細な説明】
【技術分野】
【０００１】
この発明は、例えばマルチチャンネル出力のステレオシステムに係り、特に音響出力装置に関する。
【背景技術】
【０００２】
赤外線センサーを用いて位置検出を行い、この検出結果をサラウンドの最適化に使用する技術が特許文献１に開示されている。
【０００３】
しかし実際には、位置検出を行なうだけではサラウンドにおける時間管理が可能となるだけであり、実用上の観点からはまだ充分とはいえなかった。
【特許文献１】実開平５−５３４００号公報
【発明の開示】
【発明が解決しようとする課題】
【０００４】
そこで、この発明は上記事情を考慮してなされたもので、予め、音波出力装置から出力された音波を用いた音場特性の検出（第１の音場特性）を行い、その後、視聴開始に応じてその都度、視聴位置検出を行う（第２の音場特性）ことでサラウンド効果の適性を向上させることを目的としている。
【課題を解決するための手段】
【０００５】
この発明に係る音響機器は、音波を出力する音波出力装置と、前記音波出力装置から出力された音波を所望位置で受信し、所望位置の音場特性を検出する音場特性検出手段と、前記検出された所望位置の音場特性を第１の音場特性データとして記憶媒体へ記憶する第１の音場特性データ記憶手段と、前記音波出力装置近傍に設けられ、予め設定された測定範囲に存在する対象物との距離を測定する距離測定手段と、音響機器に対する動作指示を検出する動作指示検出手段と、動作指示検出手段で検出された音響機器に対する動作指示に応じ、前記距離測定手段を用いて前記音波出力装置近傍と前記対象物との距離を測定し、この測定値を第２の音場特性データとして出力する第２の音場特性データ出力手段と、前記出力された第２の音場特性データを用いて前記記憶媒体に記憶された第１の音場特性データの値を修正する音場特性データ修正手段を備え、前記修正された音場特性データの値を用いて、前記音波出力装置から前記修正された音場特性に応じた音波を出力するように構成している。
【０００６】
また、この発明に係る音響出力方法は、音波出力装置から音波を出力するステップと、前記出力された音波を所望位置で受信し、所望位置の音場特性を検出するステップと、前記検出された所望位置の音場特性を第１の音場特性データとして記憶するステップと、前記音波出力装置近傍に設けられ、予め設定された測定範囲に存在する対象物との距離を測定するステップと、音響機器に対する動作指示を検出するステップと、前記検出された音響機器に対する動作指示に応じ、前記音波出力装置近傍と前記対象物との距離を測定し、この測定値を第２の音場特性データとして出力するステップと、前記出力された第２の音場特性データを用いて前記記憶された第１の音場特性データの値を修正するステップと、前記修正された音場特性データの値を用いて、前記音波出力装置から前記修正された音場特性に応じた音波を出力するステップを備えるように構成している。
【発明の効果】
【０００７】
上記のように構成することによって、視聴開始に応じてその都度、視聴位置検出を行う（第２の音場特性）ことで、視聴環境すなわち音場の変化に応じて、サラウンド効果を適性に行うことが可能となる。また、予め、音波出力装置から出力された音波を用いた音場特性の検出（第１の音場特性）を行っておくことで、サラウンド効果適性化に要する時間を短縮させることが可能になるという効果がある。
【発明を実施するための最良の形態】
【０００８】
以下、この発明の実施の形態について図面を参照して詳細に説明する。
【０００９】
図１は、この発明の実施の形態に係る音響機器の概略を説明する図である。符号11a, 11bはメインスピーカ（音波出力装置）、符号10a, 10bはそれぞれメインスピーカ近傍に配置される距離測定装置（距離測定手段）である。ここで、距離測定装置10a, 10bはメインスピーカ11a, 11bに配置されるが、距離測定の利便性という点ではメインスピーカ11a, 11bと一体に設けられることが望ましい。
【００１０】
これら距離測定装置10a, 10bは赤外線光が到達する範囲、すなわち予め設定された所定範囲にそれぞれ赤外線光を出力して対象物との間の距離を測定する。赤外線光を使用する場合はいわゆる三角測量の原理から、距離測定装置10a, 10bの例のように複数設けられることが望ましい。距離測定装置10aの他の例はレーダ光出力を使用することも可能である。
【００１１】
符号12a, 12bはリアスピーカ、符号20はコントロールＢＯＸである。
【００１２】
この発明の実施の形態においては、まず、ユーザがメインスピーカ11a, 11b、リアスピーカ12a, 12bから音場設定用である試験用の数種類の音、すなわち数種類の音波を出力させる。次に、メインスピーカ11a, 11b、リアスピーカ12a, 12bから出力された音波をユーザがいる時間が多い場所（例えばソファーが配置されている場所、居間等）の所望位置にマイク等の集音機器（図示せず）を配置して受信する。そして、集音機器が配置された所望位置の音場特性を検出する。ここで検出された所望位置の音場特性を第１の音場特性データとして図２に示すコントロールＢＯＸ20内のメモリ22（記憶媒体）へ記憶する。上記説明した動作は通常の音響機器使用動作の前に予め行なわれる。
【００１３】
続いてユーザがコントロールＢＯＸ20に設けられた操作スイッチ（図示せず）を操作し、例えば音響機器の電源をＯＮにする。すなわち、ユーザによって音響機器に対する動作指示が行なわれ、コントロールＢＯＸ20に設けられるＣＰＵ23においてこれを検出する（動作指示検出手段）。
【００１４】
図２は、この発明の実施の形態に係るコントロールＢＯＸ20を説明する図である。符号21は位置検出データ受信手段、符号22は半導体等で構成されるメモリ、符号23はＣＰＵである。位置検出データ受信手段21およびメモリ22はＣＰＵ23と接続されており、ＣＰＵ23によってコントロールされる。
【００１５】
上記のように、図１に示す距離測定装置10a, 10bはメインスピーカ11a, 11b（音波出力装置）近傍またはメインスピーカ11a, 11bと一体に設けられている。距離測定装置10a, 10bは（距離測定手段）で使用する赤外線やレーダ光はそれぞれ到達距離が設定されており、この到達距離を考慮して予め設定された測定範囲に存在する対象物との間の距離を測定する。赤外線やレーダ光を用いると対象物から発生する熱を感知し、対象物が人であることを認識することができる。
【００１６】
すなわち、動作指示検出手段で検出された音響機器に対する動作指示をＣＰＵ23が受信し、これに応じ、距離測定手段10a, 10bを用いて音波出力装置11a, 11b近傍と対象物（人）との距離を測定するようコントロールＢＯＸ20が指示する。ここで測定された測定値を第２の音場特性データとして出力する（第２の音場特性データ出力手段）。
【００１７】
この第２の音場特性データは位置検出データ受信手段で受信される。ＣＰＵ23はメモリ（記憶媒体）23に記憶された第１の音場特性データの値と第２の音場特性データを比較し、第２の音場特性データを用いてメモリ（記憶媒体）23に記憶された第１の音場特性データの値を修正する（音場特性データ修正手段）。
【００１８】
そして、この修正された音場特性データの値を用いて、修正された音場特性に応じた音波を音波出力装置11a, 11b等から出力する。
【００１９】
図３はこの発明の実施の形態に係る音響機器の動作を説明するフローチャートである。
【００２０】
符号１０１はここでの開始ステップである。続いて符合１０２を付したステップへ進む。
【００２１】
符号１０２は音源（各スピーカ）から音波（正弦波）を出力するステップである。続いて符合１０３を付したステップへ進む。
【００２２】
符号１０３は所定位置に設置されたマイクが各音源から出力された音波を受信するステップである。続いて符合１０４を付したステップへ進む。
【００２３】
符号１０４は受信された音波を用いて音場特性値として検出し、コントロールＢＯＸへ送信するステップである。続いて符合１０５を付したステップへ進む。
【００２４】
符号１０５は所定位置の検出データを受信する。そして、所定位置環境での音響特性を検出し、音響設定データとしてメモリへ記憶する（第１のデータ）ステップである。続いて符合１０６を付したステップへ進む。
【００２５】
符号１０６は音響機器の電源ＯＮ（動作指示）が行なわれるステップである。続いて符合１０７を付したステップへ進む。
【００２６】
符号１０７は複数の音源（スピーカ11a, スピーカ11b等)近傍に設けられた距離測定装置（赤外線出力、レーダ光出力等）を用いて各音源と人との距離を測定するステップである。続いて符合１０８を付したステップへ進む。
【００２７】
符号１０８は音源と人との距離の測定データ（第２のデータ）をコントロールＢＯＸへ送信するステップである。続いて符合１０９を付したステップへ進む。
【００２８】
符号１０９は、コントロールＢＯＸは各音源と人との距離の測定データ（第２のデータ）を用いてメモリに記憶された音響設定データ（第１のデータ）を修正するステップである。続いて符合１１０を付したステップへ進む。
【００２９】
符号１１０は各スピーカに対して修正値を通知するステップである。続いて符合１１１を付したステップへ進む。
【００３０】
符号１１１は、各スピーカは修正値を用いて音声を出力するステップである。続いて符合１１２を付したステップへ進む。
【００３１】
符号１１２は終了ステップであり、ここでの処理は終了する。
【００３２】
図４はこの発明の実施の形態に係る距離測定手段の具体例を説明する図である。
【００３３】
対象物を正確に設定するために、遮蔽版を用いてセンサー部に対して赤外線が入射する角度（赤外線入射角）を限定している。
【００３４】
図５はこの発明の実施の形態に係る距離測定手段の他の具体例を説明する図である。
【００３５】
赤外線入口スリットを設け、これを図に示すように回転可能に構成する。
【００３６】
上述したように、この発明は、音波を出力する音波出力装置と、前記音波出力装置から出力された音波を所望位置で受信し、所望位置の音場特性を検出する音場特性検出手段と、前記検出された所望位置の音場特性を第１の音場特性データとして記憶媒体へ記憶する第１の音場特性データ記憶手段と、前記音波出力装置近傍に設けられ、予め設定された測定範囲に存在する対象物との距離を測定する距離測定手段と、音響機器に対する動作指示を検出する動作指示検出手段と、動作指示検出手段で検出された音響機器に対する動作指示に応じ、前記距離測定手段を用いて前記音波出力装置近傍と前記対象物との距離を測定し、この測定値を第２の音場特性データとして出力する第２の音場特性データ出力手段と、前記出力された第２の音場特性データを用いて前記記憶媒体に記憶された第１の音場特性データの値を修正する音場特性データ修正手段を備え、前記修正された音場特性データの値を用いて、前記音波出力装置から前記修正された音場特性に応じた音波を出力するように構成している。
【００３７】
また、この発明は、音波出力装置から音波を出力するステップと、前記出力された音波を所望位置で受信し、所望位置の音場特性を検出するステップと、前記検出された所望位置の音場特性を第１の音場特性データとして記憶するステップと、前記音波出力装置近傍に設けられ、予め設定された測定範囲に存在する対象物との距離を測定するステップと、音響機器に対する動作指示を検出するステップと、前記検出された音響機器に対する動作指示に応じ、前記音波出力装置近傍と前記対象物との距離を測定し、この測定値を第２の音場特性データとして出力するステップと、前記出力された第２の音場特性データを用いて前記記憶された第１の音場特性データの値を修正するステップと、前記修正された音場特性データの値を用いて、前記音波出力装置から前記修正された音場特性に応じた音波を出力するステップを備えるように構成している。
【００３８】
上記のように構成することによって、視聴開始に応じてその都度、視聴位置検出を行う（第２の音場特性）ことで、視聴環境すなわち音場の変化に応じて、サラウンド効果を適性に行うことが可能となる。また、予め、音波出力装置から出力された音波を用いた音場特性の検出（第１の音場特性）を行っておくことで、サラウンド効果適性化に要する時間を短縮させることが可能になるという効果がある。
【００３９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４０】
【図１】この発明の実施の形態に係る音響機器の概略を説明する図。
【図２】この発明の実施の形態に係るコントロールＢＯＸを説明する図。
【図３】この発明の実施の形態に係る音響機器の動作を説明するフローチャート。
【図４】この発明の実施の形態に係る距離測定手段の具体例を説明する図。
【図５】この発明の実施の形態に係る距離測定手段の他の具体例を説明する図。
【符号の説明】
【００４１】
11a, 11b…メインスピーカ（音波出力装置）、10a, 10b…距離測定装置（距離測定手段）、12a, 12b…リアスピーカ、20…コントロールＢＯＸ、22…メモリ（記憶媒体）、23…ＣＰＵ
【図１】
2007060310.tif 000003
【図２】
2007060310.tif 000004
【図３】
2007060310.tif 000005
【図４】
2007060310.tif 000006
【図５】
2007060310.tif 000007